(57)【要約】【課題】単一の非接触ＩＣカード又はＲＦＩＤタグに対し、動作モードを含む複数の発動条件毎に登録された複数の動作又は設定変更を便宜的に使い分けて実行する。【解決手段】携帯端末は、外部媒体を読み取り可能であって、外部媒体のＩＤに対応付けて登録された動作又は設定変更の内容を記憶する動作設定記憶部と、外部媒体のＩＤに対応付けて登録された動作又は設定変更を実行するための発動条件を記憶する発動条件記憶部と、外部媒体を読み取った場合に発動条件を満たすか否かを確認する確認部と、発動条件を満たす外部媒体のＩＤに対応付けて登録された動作又は設定変更を実行する実行部と、を備える。【選択図】図４
2014011495.tif 000002
【特許請求の範囲】
【請求項１】
外部媒体を読み取り可能な携帯端末であって、
前記外部媒体のＩＤに対応付けて登録された前記外部媒体の読み取りに応じた動作又は設定変更の内容を記憶する動作設定記憶部と、
前記外部媒体のＩＤに対応付けて登録された前記外部媒体の読み取りに応じた動作又は設定変更を実行するための発動条件を記憶する発動条件記憶部と、
前記外部媒体を読み取った場合に、前記外部媒体のＩＤに対応付けて登録された前記発動条件を満たすか否かを確認する確認部と、
前記発動条件を満たす場合に、前記外部媒体のＩＤに対応付けて登録された前記動作又は設定変更を実行する実行部と、を備える携帯端末。
【請求項２】
請求項１に記載の携帯端末であって、
前記携帯端末の動作モード情報を取得する動作モード取得部と、
前記携帯端末の状態情報を取得する状態取得部と、
前記携帯端末の機能における動作又は設定変更の実行履歴情報を取得する機能履歴取得部と、
前記実行履歴情報を基に、前記外部媒体を読み取った時に取得された前記動作モード情報及び前記状態情報の下で実行された前記動作又は設定変更の内容を、前記外部媒体の読み取り時に実行する動作又は設定の第１推奨情報として生成する第１推奨情報生成部と、
前記第１推奨情報の全部又は一部の内容と前記外部媒体のＩＤとを対応付けて前記動作設定記憶部に登録する登録部と、を更に備え、
前記第１推奨情報生成部は、前記外部媒体を読み取った時に取得された前記動作モード情報及び前記状態情報を前記発動条件として生成する携帯端末。
【請求項３】
請求項１に記載の携帯端末であって、
前記携帯端末の動作モード情報を取得する動作モード取得部と、
前記携帯端末の状態情報を取得する状態取得部と、
前記携帯端末が実行している動作又は設定変更の内容を取得する機能履歴取得部と、
前記外部媒体を読み取った時に前記機能履歴取得部が取得した前記携帯端末が実行している動作又は設定変更の内容を、前記外部媒体の読み取り時に実行する動作又は設定変更の第２推奨情報として生成する第２推奨情報生成部と、
前記第２推奨情報の全部又は一部の内容と前記外部媒体のＩＤとを対応付けて前記動作設定記憶部に登録する登録部と、を更に備え、
前記第２推奨情報生成部は、前記外部媒体を読み取った時に取得された前記動作モード情報及び前記状態情報を前記発動条件として生成する携帯端末。
【請求項４】
請求項１に記載の携帯端末であって、
前記携帯端末の動作モード情報を取得する動作モード取得部と、
前記携帯端末の状態情報を取得する状態取得部と、
前記外部媒体を読み取った時に実行する動作又は設定変更の内容の入力を受け付ける操作部と、
前記入力された前記動作又は設定変更の内容を、前記外部媒体の読み取り時に実行する動作又は設定変更の第３推奨情報として生成する第３推奨情報生成部と、
前記第３推奨情報の全部又は一部の内容と前記外部媒体のＩＤとを対応付けて前記動作設定記憶部に登録する登録部と、を更に備え、
前記第３推奨情報生成部は、前記動作又は設定変更の内容が入力された時に取得された前記動作モード情報及び前記状態情報を前記発動条件として生成する携帯端末。
【請求項５】
請求項２から４のうちいずれか一項に記載の携帯端末であって、
前記第１推奨情報、前記第２推奨情報及び前記第３推奨情報のうちいずれかの推奨情報と、前記いずれかの推奨情報に対応する動作又は設定変更を実行するための発動条件とを表示させる表示制御部と、を更に備える携帯端末。
【請求項６】
請求項２から４のうちいずれか一項に記載の携帯端末であって、
前記発動条件は、前記外部媒体の読み取りに応じた動作又は設定変更の実行を終了するための発動終了条件を含む携帯端末。
【請求項７】
請求項２に記載の携帯端末であって、
前記第１推奨情報生成部は、前記外部媒体の読み取り後に前記携帯端末の動作モード情報が変更した場合に、変更前の前記動作モードを含む前記発動条件に対応して生成された前記第１推奨情報を、変更後の前記動作モードを含む前記発動条件に対応する前記第１推奨情報に追加する携帯端末。
【請求項８】
請求項２に記載の携帯端末であって、
前記第１推奨情報生成部は、前記外部媒体のＩＤと前記外部媒体の読み取りに応じた動作又は設定変更の内容とが対応付けて登録されている場合に、前記外部媒体を読み取った時に取得された前記動作モード情報及び前記状態情報を基に、既に登録されている前記動作又は設定変更の内容に対する追加又は削除を推奨する動作又は設定変更の内容を生成する携帯端末。
【請求項９】
請求項２に記載の携帯端末であって、
前記第１推奨情報生成部は、前記外部媒体の読み取りに応じた動作又は設定変更の内容が登録済の外部媒体と、前記外部媒体の読み取りに応じた動作又は設定変更の内容が未登録の外部媒体とを読み取った場合に、前記登録済の外部媒体に対して登録されている前記動作又は設定変更の内容を、前記未登録の外部媒体の読み取りに応じた動作又は設定変更の内容の推奨情報として生成する携帯端末。
【請求項１０】
請求項２に記載の携帯端末であって、
前記第１推奨情報生成部は、前記外部媒体の読み取りに応じた動作又は設定変更の内容が登録済の外部媒体と、前記外部媒体の読み取りに応じた動作又は設定変更の内容が未登録の外部媒体とを読み取った場合に、前記登録済の外部媒体に対して登録されている前記動作又は設定変更の内容を、前記未登録の外部媒体の読み取りに応じた動作又は設定変更の内容の推奨情報として含まないように前記推奨情報を生成する携帯端末。
【請求項１１】
外部媒体を読み取り可能な携帯端末における情報処理方法であって、
前記外部媒体のＩＤに対応付けて前記外部媒体の読み取りに応じた動作又は設定変更の内容を動作設定記憶部に登録するステップと、
前記外部媒体のＩＤに対応付けて前記外部媒体の読み取りに応じた動作又は設定変更を実行するための発動条件を発動条件記憶部に登録するステップと、
前記外部媒体を読み取るステップと、
前記外部媒体を読み取った場合に、前記発動条件記憶部を参照して前記外部媒体のＩＤに対応する前記発動条件を満たすか否かを確認するステップと、
前記発動条件を満たす場合に、前記外部媒体のＩＤに対応付けて登録された前記動作又は設定変更を実行するステップと、を有する情報処理方法。
【発明の詳細な説明】
【技術分野】
【０００１】
本発明は、近距離無線通信において外部媒体を認識して読み込んだ場合に、外部媒体に応じた動作又は設定変更を実行する携帯端末及び情報処理方法に関する。
【背景技術】
【０００２】
従来から、近距離無線通信において、例えば非接触ＩＣ（Integrated Circuit）カード又はＲＦＩＤ（Radio Frequency Identification）タグ等の外部媒体を認識して読み込んだ場合に実行する動作を登録又は編集し、又はその動作を実行することに関連する先行技術が幾つか提案されている。
【０００３】
例えば、ゲーム用カードのタグを読み込み、タグのＩＤが未登録の場合にＩＤとゲームのコンテンツＩＤとゲームタイトルとを対応付けて登録するゲーム機が知られている（例えば、特許文献１参照）。
【０００４】
また、ユニークなＩＤを有するカードを携帯電話にかざし、カード内のＩＤを読み取った携帯電話がカードに対応して予め登録された機能（例えばミュージックプレーヤの起動）を実行することが開示されている（例えば、特許文献２参照）。また、特許文献２では、携帯電話がカード内のＩＤを読み取った場合に実行する機能の選択をユーザに促すことも開示されている。
【０００５】
また、ナビゲーション装置又はオーディオ再生装置等において、ＩＣカードからカードＩＤを読み込んだときに、そのカードＩＤの登録状況又はそのときの動作状況に応じて、新規ユーザの識別情報を登録する登録処理又は既に登録済みのユーザの識別情報を編集する編集処理を実行することが開示されている（例えば、特許文献３参照）。
【先行技術文献】
【特許文献】
【０００６】
【特許文献１】特開２００９−２７３６２６号公報
【特許文献２】特開２０１０−５７０５３号公報
【特許文献３】特開２００８−５２４０８号公報
【発明の概要】
【発明が解決しようとする課題】
【０００７】
しかしながら、上述した各々の特許文献に記載の技術又はその組み合わせ技術では、リーダライタ（Ｒ／Ｗ）機能を有する携帯端末（例えば携帯電話機又はスマートフォン）は、例えば非接触ＩＣカード又はＲＦＩＤタグ等の外部媒体を認識して読み込んだ場合に、一つの外部媒体に対し、その外部媒体のＩＤに対応付けて予め登録された１つ又は１セットの動作しか実行することができない。ここで、１セットの動作とは、例えばスマートフォンでは、カメラを起動した後にマナーモードを実行するといった２つの動作の組み合わせを表す。
【０００８】
今後、リーダライタ（Ｒ／Ｗ）機能を有する携帯端末（例えば携帯電話機又はスマートフォン）には、既にＰＣ（Personal Computer）等に適用されている仮想化技術が導入される可能性があり、携帯端末が複数の動作モードを有することが将来的に検討されている。即ち、複数の動作モード（例えばビジネスモード、プライベートモード等）毎に携帯端末に実行させたい動作又は携帯端末の設定変更（例えばマナーモードへの変更）の内容を登録する場合には、動作モード毎に非接触ＩＣカード又はＲＦＩＤタグが必要となり、ユーザの金銭的な負担が増加する等の理由によって現実的に普及することが困難であると考えられる。
【０００９】
従って、携帯端末が複数の動作モードを有することになろうとも、一つの非接触ＩＣカード又はＲＦＩＤタグにおいて携帯端末が実行する動作又は変更する設定の各内容を、種々の条件に応じて使い分けることが求められると考えられる。
【００１０】
そこで、本発明は、上述した事情に鑑みて案出されたものであり、単一の非接触ＩＣカード又はＲＦＩＤタグに対し、動作モードを含む複数の発動条件毎に登録された複数の動作又は設定変更を便宜的に使い分けて実行する携帯端末及び情報処理方法を提供することを目的とする。
【課題を解決するための手段】
【００１１】
本発明の一実施形態の携帯端末は、外部媒体を読み取り可能な携帯端末であって、前記外部媒体のＩＤに対応付けて登録された前記外部媒体の読み取りに応じた動作又は設定変更の内容を記憶する動作設定記憶部と、前記外部媒体のＩＤに対応付けて登録された前記外部媒体の読み取りに応じた動作又は設定変更を実行するための発動条件を記憶する発動条件記憶部と、前記外部媒体を読み取った場合に、前記外部媒体のＩＤに対応付けて登録された前記発動条件を満たすか否かを確認する確認部と、前記発動条件を満たす場合に、前記外部媒体のＩＤに対応付けて登録された前記動作又は設定変更を実行する実行部と、を備える。
【００１２】
この構成によれば、単一の非接触ＩＣカード又はＲＦＩＤタグに対し、動作モードを含む複数の発動条件毎に登録された複数の動作又は設定変更を便宜的に使い分けて実行することができる。
【００１３】
本発明の一実施形態の情報処理方法は、外部媒体を読み取り可能な携帯端末における情報処理方法であって、前記外部媒体のＩＤに対応付けて前記外部媒体の読み取りに応じた動作又は設定変更の内容を動作設定記憶部に登録するステップと、前記外部媒体のＩＤに対応付けて前記外部媒体の読み取りに応じた動作又は設定変更を実行するための発動条件を発動条件記憶部に登録するステップと、前記外部媒体を読み取るステップと、前記外部媒体を読み取った場合に、前記発動条件記憶部を参照して前記外部媒体のＩＤに対応する前記発動条件を満たすか否かを確認するステップと、前記発動条件を満たす場合に、前記外部媒体のＩＤに対応付けて登録された前記動作又は設定変更を実行するステップと、を有する。
【００１４】
この方法によれば、単一の非接触ＩＣカード又はＲＦＩＤタグに対し、動作モードを含む複数の発動条件毎に登録された複数の動作又は設定変更を便宜的に使い分けて実行することができる。
【発明の効果】
【００１５】
本発明によれば、単一の非接触ＩＣカード又はＲＦＩＤタグに対し、動作モードを含む複数の発動条件毎に登録された複数の動作又は設定変更を便宜的に使い分けて実行することができる。
【図面の簡単な説明】
【００１６】
【図１】本実施形態の携帯端末の動作概要を示す模式図
【図２】本実施形態の携帯端末の機能的構成を示すブロック図
【図３】登録時における携帯端末の機能的構成を示すブロック図
【図４】実行時における携帯端末の機能的構成を示すブロック図
【図５】（Ａ）動作設定記憶部の内容の一例を示す説明図、（Ｂ）発動条件記憶部の内容の一例を示す説明図
【図６】（Ａ）リコメンド情報及び発動条件の各内容の一例を示す説明図、（Ｂ）スナップショット情報及び発動条件の各内容の一例を示す説明図
【図７】本実施形態の携帯端末における登録時の動作手順を説明するフローチャート
【図８】本実施形態の携帯端末における登録時の動作手順を説明するフローチャート
【図９】本実施形態の携帯端末における実行時の動作手順を説明するフローチャート
【発明を実施するための形態】
【００１７】
以下、本発明に係る携帯端末及び情報処理方法の各実施形態について、図面を参照して説明する。本実施形態の携帯端末は、近距離無線通信におけるＮＦＣ（Near Field Communication）規格に準拠し、リーダライタ（Ｒ／Ｗ）機能を有する電子機器であって、例えば携帯電話機、スマートフォン、タブレット端末、デジタルスチルカメラ、ＰＤＡ（personal digital assistant）又は電子書籍端末等である。携帯端末は、リーダライタ（Ｒ／Ｗ）機能において、通信相手としての外部媒体（例えばＲＦＩＤタグ）と近距離無線通信を行い、ＲＦＩＤタグに対して読み書きを行う。また、ＲＦＩＤタグは様々な機器又は物品に搭載される。また、以下の説明では、携帯端末の通信相手の一例としてＲＦＩＤタグを用いるが、携帯端末の通信相手は非接触ＩＣカード、または非接触ＩＣカード機能を備えた携帯端末でも良い。
【００１８】
なお、本発明は、装置としての携帯端末、又は携帯端末をコンピュータとして動作させるためのプログラムとして表現することも可能である。更に、本発明は、携帯端末により実行される各動作（ステップ）を含む情報処理方法として表現することも可能である。即ち、本発明は、装置、方法及びプログラムのうちいずれのカテゴリーにおいても表現可能である。
【００１９】
以下の説明において、本実施形態の携帯端末が近距離無線通信においてＲＦＩＤタグを読み取った場合に実行する「動作」又は「設定変更」を実行するための条件を「発動条件」と定義する。詳細は後述するが、発動条件は、「携帯端末の動作モード情報」、「携帯端末の状態情報」、又は「携帯端末の動作モード情報及び状態情報」のいずれかである。本実施形態では、発動条件は、「携帯端末の動作モード情報及び状態情報」とする。
【００２０】
以下の説明において、ＲＦＩＤタグのＩＤと携帯端末がＲＦＩＤタグを読み取った時に実行する「動作」又は「設定変更」の内容及び発動条件の内容とを対応付けて携帯端末が登録していない状態を、ＲＦＩＤタグに対する状態として「未登録」という。
【００２１】
また、以下の説明において、ＲＦＩＤタグのＩＤと携帯端末がＲＦＩＤタグを読み取った時に実行する「動作」又は「設定変更」の内容及び発動条件の内容とを対応付けて携帯端末が登録する時の状態を、ＲＦＩＤタグに対する状態として「登録時」という。
【００２２】
また、以下の説明において、ＲＦＩＤタグのＩＤと携帯端末がＲＦＩＤタグを読み取った時に実行する「動作」又は「設定変更」の内容及び発動条件の内容とを対応付けて携帯端末が登録した後の状態を、ＲＦＩＤタグに対する状態として「登録済」という。
【００２３】
また、以下の説明において、登録済のＲＦＩＤタグに対し、携帯端末がＲＦＩＤタグのＩＤに対応付けて登録した「動作」、「設定変更」又は「発動条件」の内容を編集（修正）して上書きして携帯端末が登録する時の状態をＲＦＩＤタグに対する状態として「再登録時」という。更に、登録済のＲＦＩＤタグに対し、ＲＦＩＤタグのＩＤと携帯端末がＲＦＩＤタグを読み取った時に実行する他の「動作」或いは「設定変更」の内容及び他の発動条件とを対応付けて携帯端末が追加登録する時の状態も、同様に、ＲＦＩＤタグに対する状態として「再登録時」という。
【００２４】
また、以下の説明において、ＲＦＩＤタグのＩＤと携帯端末がＲＦＩＤタグを読み取った時に実行する「動作」又は「設定変更」の内容及び「発動条件」の内容とを対応付けて携帯端末が再登録した後の状態を、ＲＦＩＤタグに対する状態として「再登録済」という。
【００２５】
更に、以下の説明において、携帯端末が登録済又は再登録済のＲＦＩＤタグを読み取った時に、ＲＦＩＤタグのＩＤに対応付けて登録された「動作」又は「設定変更」の内容を実行する時の状態を、ＲＦＩＤタグに対する状態として「実行時」という。
【００２６】
（本実施形態の携帯端末１の動作概要）
図１は、本実施形態の携帯端末１の動作概要を示す模式図である。図１の説明では、携帯端末１は、ＲＦＩＤタグ２のユニークなＩＤと、携帯端末１がＲＦＩＤタグ２を読み取った時に実行する「動作」又は「設定変更」の内容とを対応付けて登録していないとする。即ち、ＲＦＩＤタグ２は未登録である。
【００２７】
図１の状態Ａでは、携帯端末１は、ＲＦＩＤタグ２との間で近距離無線通信を行っていない。図１の状態Ｂでは、携帯端末１は、ユーザがＲＦＩＤタグ２を携帯端末１に近接させた場合又は携帯端末１をＲＦＩＤタグ２に近接させた場合に、近距離無線通信においてＲＦＩＤタグ２を認識して読み込む（読み取る）。携帯端末１は、ＲＦＩＤタグ２を読み取った時に実行する「動作」又は「設定変更」の内容と、「動作」又は「設定変更」の「発動条件」の内容とをリコメンド情報として生成して表示部２３（図２参照）の画面ＤＰに表示させる。携帯端末１がリコメンド情報としての「動作」又は「設定変更」の内容と「発動条件」の内容とを生成する方法の詳細については後述する。
【００２８】
また、携帯端末１は、ＲＦＩＤタグ２のＩＤと、携帯端末１がＲＦＩＤタグ２を読み取った時に実行する「動作」又は「設定変更」の内容とを対応付けて登録した場合に、近距離無線通信においてＲＦＩＤタグ２を読み取った場合に、「動作」又は「設定変更」を実行するための「発動条件」を満たす場合に、ＲＦＩＤタグ２のＩＤと対応付けて登録された「動作」又は「設定変更」を実行する。
【００２９】
図１では、推奨情報（リコメンド内容）における「動作」又は「設定変更」の内容として、「スケジュールアプリを月画面で表示する」という動作、「無線ＬＡＮ（Local Area Network）の設定として携帯端末１の近傍に存在するアクセスポイント（ＡＰ：Access Point）に接続する」という設定変更、「携帯端末１の画面のロックを解除する」という動作、及び、「Ｅメールアプリを受信操作する」という動作が示されている。
【００３０】
更に、図１では、リコメンド情報に対応する「発動条件」の内容として、携帯端末１の「時刻は９：００から１１：００」であり、携帯端末１の「場所は会社」であり、携帯端末１の「動作モードはビジネス」モードであることが示されている。
【００３１】
なお、ＲＦＩＤタグ２は、携帯端末１から送信された所定の通信方式の搬送波を受信する。ＲＦＩＤタグ２は、自ＲＦＩＤタグ２に適合する通信方式の搬送波を受信した時に自ＲＦＩＤタグ２に内蔵されるＩＣチップ（不図示）の回路が起動するパッシブ型である。
【００３２】
ＲＦＩＤタグ２は、自ＲＦＩＤタグ２に適合する通信方式の搬送波に対する応答信号（受信応答）として、自ＲＦＩＤタグ２のＩＤを含む所定データを変調した搬送波を生成し、生成された搬送波（受信応答）を携帯端末１に返す（送信する）。なお、ＲＦＩＤタグ２は、上述したパッシブ型ではなくても良く、例えばＲＦＩＤタグ２内に電源を有し、受信応答としての搬送波を送信するアクティブ型でも良い。
【００３３】
（本実施形態の携帯端末１の機能的構成）
図２は、本実施形態の携帯端末１の機能的構成を示すブロック図である。図３は、登録時における携帯端末１の機能的構成を示すブロック図である。図４は、実行時における携帯端末１の機能的構成を示すブロック図である。
【００３４】
図２に示す携帯端末１は、操作部１１、送受信用のアンテナ（不図示）を含むカード／タグ読み取り部１２、動作設定確認部１３、動作設定記憶部１４、発動条件記憶部１５、リコメンド情報生成部１６、スナップショット情報生成部１７、状態取得部１８、動作モード取得部１９、機能履歴取得部２０、動作設定・発動条件表示制御部２１、動作設定・発動条件登録部２２、表示部２３、発動条件確認部２４及び動作／設定変更実行部２５を含む。
【００３５】
操作部１１は、ユーザが携帯端末１に対する操作を入力するユーザインターフェースであり、ユーザの操作内容に応じた信号を例えば動作設定・発動条件登録部２２に出力する。なお、操作部１１からの信号の出力先は、動作設定・発動条件登録部２２に限定されず、図１では、図面の複雑化を避けるために、一例として動作設定・発動条件登録部２２を示している。
【００３６】
操作部１１は、例えば携帯端末１がスマートフォンである場合には、表示部２３の上に搭載され、ユーザの指又はスタイラスペンによる入力操作を受け付け可能なタッチパネルで構成される。また、操作部１１は、携帯端末１が携帯電話機である場合には、電話番号等を入力するテンキー、オンフック又はオフフックを行う通話器キー及びファンクションキー等の各種キーで構成可能である。
【００３７】
カード／タグ読み取り部１２は、ＮＦＣ規格に準拠した近距離無線通信が可能な通信回路によって構成され、所定の通信方式の搬送波を送信する。カード／タグ読み取り部１２は、携帯端末１がＲＦＩＤタグ２に近接した場合又はＲＦＩＤタグ２が携帯端末１に近接した場合に、ＲＦＩＤタグ２からの受信応答を受信することによってＲＦＩＤタグ２を認識して読み取る。カード／タグ読み取り部１２は、ＲＦＩＤタグ２を認識して読み取った場合に、ＲＦＩＤタグ２のＩＤ（識別情報）を動作設定確認部１３に出力する。なお、カード／タグ読み取り部１２は、複数のＲＦＩＤタグを読み取り可能であり、又は、単一のＲＦＩＤタグ２と単一の非接触ＩＣカード（不図示）とを読み取り可能である。
【００３８】
確認部としての動作設定確認部１３は、登録時又は再登録時では、カード／タグ読み取り部１２から出力されたＲＦＩＤタグ２のＩＤをキーとして動作設定記憶部１４を検索し、同ＲＦＩＤタグ２のＩＤが動作設定記憶部１４に記憶（登録）されているか否かを確認（判定）する。動作設定確認部１３は、ＲＦＩＤタグ２のＩＤが記憶（登録）されている場合に、ＲＦＩＤタグ２のＩＤを含むリコメンド情報生成指示をリコメンド情報生成部１６に出力すると共に、同ＲＦＩＤタグ２のＩＤを含むスナップショット情報生成指示をスナップショット情報生成部１７にそれぞれ出力する。
【００３９】
また、動作設定確認部１３は、実行時では、カード／タグ読み取り部１２から出力されたＲＦＩＤタグ２のＩＤをキーとして動作設定記憶部１４を検索し、ＲＦＩＤタグ２のＩＤに対応付けてＲＦＩＤタグ２の読み取りに応じた動作又は設定変更の内容が登録されているか否かを確認（判定）する。動作設定確認部１３は、ＲＦＩＤタグ２のＩＤに対応付けてＲＦＩＤタグ２の読み取りに応じた動作又は設定変更の内容が登録されている場合に、ＲＦＩＤタグ２のＩＤとＲＦＩＤタグ２の読み取りに応じた動作又は設定変更の内容の情報とを発動条件確認部２４に出力する。
【００４０】
ここで、動作設定記憶部１４について、図５（Ａ）を参照して説明する。図５（Ａ）は、動作設定記憶部１４の内容の一例を示す説明図である。動作設定記憶部１４は、外部媒体（例えばＲＦＩＤタグ２）のＩＤに対応付けて登録された外部媒体の読み取りに応じた動作又は設定変更の内容を記憶する。
【００４１】
図５（Ａ）では、ＩＤ「００１」に対し、ＩＤ「００１」の外部媒体が携帯端末１により読み取られた場合に、携帯端末１は、動作「スケジュールアプリ」を機能「週画面表示で起動」することが示されている。同様に、ＩＤ「００２」に対し、ＩＤ「００２」の外部媒体が携帯端末１により読み取られた場合に、携帯端末１は、設定変更「マナーモード」を機能「解除」することが示されている。
【００４２】
次に、発動条件記憶部１５について、図５（Ｂ）を参照して説明する。図５（Ｂ）は、発動条件記憶部１５の内容の一例を示す説明図である。発動条件記憶部１５は、外部媒体（例えばＲＦＩＤタグ２）のＩＤに対応付けて登録された外部媒体の読み取りに応じた動作又は設定変更を実行するための発動条件を記憶する。図５（Ｂ）に示す発動条件は、説明を簡単にするために、時間、場所（位置）からなる状況情報と、動作モード情報との合計３つの情報からなる。但し、後述するように、状況情報、動作モード情報は図５（Ｂ）に示したものに限定されない。
【００４３】
図５（Ｂ）では、ＩＤ「００１」に対し、ＩＤ「００１」の外部媒体が携帯端末１により読み取られた時の携帯端末１の状態が時間「９：００から１１：００」であって、場所（位置）が「会社」であって、読み取られた時の携帯端末１の動作モードが「ビジネス」モードである場合には、発動条件確認部２４（後述参照）は、ＩＤ「００１」に対応する発動条件を満たすことを確認する。
【００４４】
同様に、ＩＤ「００２」に対し、ＩＤ「００２」の外部媒体が携帯端末１により読み取られた時の携帯端末１の状態が時間「２１：００から２３：００」であって、場所（位置）が「自宅」であって、読み取られた時の携帯端末１の動作モードが「ホーム」モードである場合には、発動条件確認部２４（後述参照）は、ＩＤ「００２」に対応する発動条件を満たすことを確認する。なお、「会社」又は「自宅」の場所（位置）は携帯端末１において予め設定されているとする。
【００４５】
第１推奨情報生成部としてのリコメンド情報生成部１６は、カード／タグ読み取り部１２がＲＦＩＤタグ２を読み取った時における携帯端末１の状態情報を状態取得部１８から取得し、カード／タグ読み取り部１２がＲＦＩＤタグ２を読み取った時における携帯端末１の動作モード状態を動作モード取得部１９から取得する。リコメンド情報生成部１６は、状態取得部１８から取得した状態情報及び動作モード取得部１９から取得した動作モード情報を基に、同状態及び同動作モードの下で実行された動作又は設定変更の内容の実行履歴情報を機能履歴取得部２０に問い合わせる。リコメンド情報生成部１６は、問い合わせ結果としての実行履歴情報を機能履歴取得部２０から取得する。
【００４６】
リコメンド情報生成部１６は、機能履歴取得部２０から取得した実行履歴情報を基に、ＲＦＩＤタグ２を読み取った時に取得された動作モード情報及び状態情報の下で実行された動作又は設定変更の内容を、カード／タグ読み取り部１２がＲＦＩＤタグ２を読み取った時に実行する動作又は設定変更のリコメンド情報として生成する。また、リコメンド情報生成部１６は、ＲＦＩＤタグ２を読み取った時に取得された動作モード情報及び状態情報を、リコメンド情報の動作又は設定変更を実行するための発動条件として用いる。但し、リコメンド情報生成部１６は、状態情報に例えば時刻を用いる場合には、ＲＦＩＤタグ２を読み取った時の時刻に限定せずに所定時間帯の幅（例えば２時間）を設けても良く、他の状態情報についても状態取得部１８から取得した状態情報と同一値に限定しなくても良い。リコメンド情報生成部１６は、生成したリコメンド情報とリコメンド情報の動作又は設定変更を実行するための発動条件との組み合わせを動作設定・発動条件表示制御部２１及び動作設定・発動条件登録部２２にそれぞれ出力する。
【００４７】
第２推奨情報生成部としてのスナップショット情報生成部１７は、カード／タグ読み取り部１２がＲＦＩＤタグ２を読み取った時における携帯端末１の状態情報を状態取得部１８から取得し、カード／タグ読み取り部１２がＲＦＩＤタグ２を読み取った時における携帯端末１の動作モード状態を動作モード取得部１９から取得する。スナップショット情報生成部１７は、カード／タグ読み取り部１２がＲＦＩＤタグ２を読み取った時に携帯端末１が実行している現在の動作又は設定変更の内容を機能履歴取得部２０から取得する。
【００４８】
スナップショット情報生成部１７は、ＲＦＩＤタグ２を読み取った時に機能履歴取得部２０から取得した動作又は設定変更の内容を、ＲＦＩＤタグ２の読み取り時に実行する動作又は設定変更のスナップショット情報として生成する。また、スナップショット情報生成部１７は、ＲＦＩＤタグ２を読み取った時に取得された動作モード情報及び状態情報を、スナップショット情報の動作又は設定変更を実行するための発動条件として用いる。但し、同様に、スナップショット情報生成部１７は、状態情報に例えば時刻を用いる場合には、ＲＦＩＤタグ２を読み取った時の時刻に限定せずに所定時間帯の幅（例えば２時間）を設けても良く、他の状態情報についても状態取得部１８から取得した状態情報と同一値に限定しなくても良い。スナップショット情報生成部１７は、生成したスナップショット情報とスナップショット情報の動作又は設定変更を実行するための発動条件との組み合わせを動作設定・発動条件表示制御部２１及び動作設定・発動条件登録部２２にそれぞれ出力する。
【００４９】
状態取得部１８は、登録時又は再登録時に、携帯端末１の状態情報を取得してリコメンド情報生成部１６及びスナップショット情報生成部１７にそれぞれ出力する。状態取得部１８は、実行時に、携帯端末１の状態情報を取得して発動条件確認部２４に出力する。
【００５０】
携帯端末１の状態情報は、ジャイロセンサにより測定可能な携帯端末１の向き若しくは角度、加速度センサにより測定可能な移動速度、ＧＰＳ信号を基に解析した携帯端末１の場所（位置）、携帯端末１の時刻及び日時を含む時間、電池残量、受信電波の電波強度、携帯端末１の近傍に存在する無線ＬＡＮ（例えばＷｉｆｉ（登録商標））に対応したアクセスポイントの有無、３Ｇ若しくはＬＴＥ（Long Term Evolution）の基地局の有無、Ｂｌｕｅｔｏｏｔｈ（登録商標）の接続の有無、携帯端末１に内蔵されるプロセッサの負荷、携帯端末１に内蔵されるデバイスの設定状態（例えば無線ＬＡＮの使用のオン又はオフ、又は加速度センサの使用のオン又はオフ）、メモリの空き容量又はそれらの組み合わせが該当する。
【００５１】
動作モード取得部１９は、登録時又は再登録時に、携帯端末１の動作モード情報を取得してリコメンド情報生成部１６及びスナップショット情報生成部１７にそれぞれ出力する。動作モード取得部１９は、実行時に、携帯端末１の動作モード情報を取得して発動条件確認部２４に出力する。
【００５２】
携帯端末１の動作モード情報は、携帯端末１に内蔵される不図示のＲＡＭ（Random Access Memory）に一時的に格納されている。動作モード情報は、携帯端末１に内蔵されるプロセッサの動作モード、仮想環境において用いられている動作モード、ＯＳ（Operating System）の動作モード、アプリケーションフレームワークの動作モード又はそれらの組み合わせが該当する。本実施形態では、動作モード情報には、例えば会社等で勤務時に用いられるビジネスモード、勤務時以外で用いられるプライベートモード、自宅等で用いられるホームモード、ユーザの趣味に用いられるエンターテインメントモード、携帯端末１のセキュリティを強固にするためのセキュリティモードがあるとする。但し、携帯端末１の動作モード情報は、上述したものに限定されない。
【００５３】
機能履歴取得部２０は、携帯端末１が過去に実行したことのある動作又は設定変更の内容、及び携帯端末１が現在実行している動作又は設定変更の内容を、不図示の実行履歴情報データベースに保持している。機能履歴取得部２０は、登録時又は再登録時に、リコメンド情報生成部１６から出力された状態情報及び動作モード情報を基に、同状態及び同動作モードの下で実行された動作又は設定変更の内容の実行履歴情報を実行履歴情報データベースから取得し、取得された実行履歴情報をリコメンド情報生成部１６に出力する。機能履歴取得部２０は、実行時に、カード／タグ読み取り部１２がＲＦＩＤタグ２を読み取った時に携帯端末１が現在実行している動作又は設定変更の内容を発動条件確認部２４に出力する。
【００５４】
表示制御部としての動作設定・発動条件表示制御部２１は、リコメンド情報生成部１６から出力されたリコメンド情報とリコメンド情報の動作又は設定変更を実行するための発動条件との組み合わせ、及び、スナップショット情報生成部１７から出力されたスナップショット情報とスナップショット情報の動作又は設定変更を実行するための発動条件との組み合わせを取得する。
【００５５】
動作設定・発動条件表示制御部２１は、リコメンド情報生成部１６から出力されたリコメンド情報とリコメンド情報の動作又は設定変更を実行するための発動条件との組み合わせ、又は、スナップショット情報生成部１７から出力されたスナップショット情報とスナップショット情報の動作又は設定変更を実行するための発動条件との組み合わせを切り替えて表示部２３の画面ＤＰに表示させる（図６（Ａ）又は（Ｂ）参照）。
【００５６】
図６（Ａ）は、リコメンド情報の内容の一例を示す説明図である。図６（Ａ）に示すリコメンド情報では、「スケジュールアプリを月画面で表示する」という動作、「無線ＬＡＮの設定として携帯端末１の近傍に存在するアクセスポイントに接続する」という設定変更、「携帯端末１の画面のロックを解除する」という動作、及び、「Ｅメールアプリを受信操作する」という動作が示されている。更に、図６（Ａ）では、リコメンド情報における「発動条件」の内容として、携帯端末１の「時刻は９：００から１１：００」であり、携帯端末１の「場所は会社」であり、携帯端末１の「動作モードはビジネス」モードであることが示されている。
【００５７】
図６（Ｂ）は、スナップショット情報の内容の一例を示す説明図である。図６（Ｂ）に示すスナップショット情報では、「スケジュールアプリを週画面で表示する」という動作、「着信音の設定として楽曲ＸＹＺを用いる」という設定変更、「携帯端末１のマナーモードを解除する」という設定変更、及び、「ゲームのＷＷというアプリを起動する」という動作が示されている。更に、図６（Ｂ）では、スナップショット情報における「発動条件」の内容として、携帯端末１の「時刻は２１：００から２３：００」であり、携帯端末１の「場所は自宅」であり、携帯端末１の「動作モードはホーム」モードであることが示されている。
【００５８】
なお、動作設定・発動条件表示制御部２１は、図６（Ａ）又は（Ｂ）に示す画面ＤＰの右上側の表示領域に表示されている指ＦＧのドロップダウンリストの押下及び選択によって、リコメンド情報又はスナップショット情報の内容を切り替えて画面ＤＰに表示させることができる。
【００５９】
登録部としての動作設定・発動条件登録部２２は、動作設定・発動条件表示制御部２１により画面ＤＰに表示されたリコメンド情報とリコメンド情報の動作又は設定変更を実行するための発動条件との組み合わせ、又はスナップショット情報とスナップショット情報の動作又は設定変更を実行するための発動条件との組み合わせに対して、操作部１１からいずれかの組み合わせを登録する旨の操作信号を受けた場合に、いずれかの組み合わせのうち、ＲＦＩＤタグ２のＩＤと動作又は設定変更の内容とを動作設定記憶部１４に記憶（登録）し、ＲＦＩＤタグ２のＩＤと動作又は設定変更の内容を実行するための発動条件とを発動条件記憶部１５に記憶（登録）する。
【００６０】
なお、動作設定・発動条件登録部２２は、画面ＤＰに表示されたリコメンド情報とリコメンド情報の動作若しくは設定変更を実行するための発動条件との組み合わせ、又は、リコメンド情報とリコメンド情報の動作若しくは設定変更を実行するための発動条件との組み合わせを編集（修正）する旨の操作信号が操作部１１から出力された場合には、当該操作信号に合わせていずれかの組み合わせの内容を編集（修正）し、編集後（修正後）の内容に応じて動作設定記憶部１４、発動条件記憶部１５にそれぞれ記憶（登録）する。
【００６１】
表示部２３は、ＬＣＤ（Liquid Crystal Display）又は有機ＥＬ（Electroluminescence）ディスプレイを用いて構成され、動作設定・発動条件表示制御部２１から出力されたリコメンド情報とリコメンド情報の動作又は設定変更を実行するための発動条件との組み合わせ、又は、スナップショット情報とスナップショット情報の動作又は設定変更を実行するための発動条件との組み合わせの内容を画面ＤＰに表示する。
【００６２】
確認部としての発動条件確認部２４は、動作設定確認部１３から出力されたＲＦＩＤタグ２のＩＤとＲＦＩＤタグ２の読み取りに応じた動作又は設定変更の内容の情報を取得する。発動条件確認部２４は、動作設定確認部１３から出力されたＲＦＩＤタグ２のＩＤをキーとして発動条件記憶部１５を検索し、同ＲＦＩＤタグ２のＩＤに対応付けて登録されている発動条件の情報を取得する。
【００６３】
発動条件確認部２４は、状態取得部１８から出力された携帯端末１の状態情報と動作モード取得部１９から出力された携帯端末１の動作モード状態とが発動条件記憶部１５から取得したＲＦＩＤタグ２のＩＤに対応付けて登録されている発動条件を満たすか否かを確認（判定）する。発動条件確認部２４は、携帯端末１の状態情報と動作モード情報とが発動条件を満たすことを確認した場合に、動作設定確認部１３から出力されたＲＦＩＤタグ２の読み取りに応じた動作又は設定変更の内容の情報を含む実行指示を動作／設定変更実行部２５に出力する。
【００６４】
動作／設定変更実行部２５は、発動条件確認部２４から出力された実行指示を基に、ＲＦＩＤタグ２の読み取りに応じた動作又は設定変更の内容を実行する。
【００６５】
なお、動作設定確認部１３、リコメンド情報生成部１６、スナップショット情報生成部１７、動作モード取得部１９、機能履歴取得部２０、動作設定・発動条件表示制御部２１、動作設定・発動条件登録部２２、発動条件確認部２４及び動作／設定変更実行部２５の各部は、携帯端末１に内蔵されるプロセッサ（不図示）が各部の動作を規定したプログラムを読み込むことで実行可能となる。このプログラムは例えば携帯端末１に内蔵される不図示のＲＯＭ（Read Only Memory）に予め記憶されている。なお、不図示のプロセッサは、例えばＣＰＵ（Central Processing Unit）、ＭＰＵ（Micro Processing Unit）又はＤＳＰ（Digital Signal Processor）を用いて構成される。
【００６６】
（リコメンド情報の第１例：設定変更の例）
ここで、リコメンド情報生成部１６が生成するリコメンド情報の第１例について説明する。機能履歴取得部２０は、例えば動作としてのアプリケーションの使用頻度、設定変更の頻度、アプリケーションにおける操作の履歴を実行履歴情報として保持し、リコメンド情報生成部１６から状態情報として例えば「携帯端末１の近傍に無線ＬＡＮ用のアクセスポイントが存在する」旨の情報を取得し、更に、動作モード情報として例えば「ホームモード」の情報を取得したとする。
【００６７】
機能履歴取得部２０は、実行履歴情報を基に、動作モード情報が「ホームモード」であって状態情報が「携帯端末１の近傍に無線ＬＡＮ用のアクセスポイントが存在する」である場合に過去に実行されたことがある動作又は設定変更の実行履歴情報として、例えば「無線ＬＡＮを使用可能に設定変更した」を取得する。機能履歴取得部２０は、リコメンド情報生成部１６からの問い合わせに対する問い合わせ結果として、「無線ＬＡＮを使用可能に設定変更する」という実行履歴情報をリコメンド情報生成部１６に出力する。
【００６８】
リコメンド情報生成部１６は、カード／タグ読み取り部１２がＲＦＩＤタグ２を読み取った時の携帯端末１の動作モード情報及び状態情報の下で実行されたことがある動作又は設定変更の内容「無線ＬＡＮを使用可能に設定変更する」を、リコメンド情報として生成する。
【００６９】
（リコメンド情報の第２例：設定変更＋動作の例）
次に、リコメンド情報生成部１６が生成するリコメンド情報の第２例について説明する。機能履歴取得部２０は、例えば動作としてのアプリケーションの使用頻度、設定変更の頻度、アプリケーションにおける操作の履歴を実行履歴情報として保持し、リコメンド情報生成部１６から状態情報として例えば「携帯端末１の場所（位置）がｘｘｘである」旨の情報を取得し、更に、動作モード情報として例えば「ビジネスモード」の情報を取得したとする。
【００７０】
機能履歴取得部２０は、実行履歴情報を基に、動作モード情報が「ビジネスモード」であって状態情報が「携帯端末１の場所（位置）がｘｘｘである」である場合に過去に実行されたことがある動作又は設定変更の実行履歴情報として、例えば「ＧＰＳ信号を受信可能に設定変更し、地図アプリを起動するという動作を実行した」を取得する。機能履歴取得部２０は、リコメンド情報生成部１６からの問い合わせに対する問い合わせ結果として、「ＧＰＳ信号を受信可能に設定変更し、地図アプリを起動する」という実行履歴情報をリコメンド情報生成部１６に出力する。
【００７１】
リコメンド情報生成部１６は、カード／タグ読み取り部１２がＲＦＩＤタグ２を読み取った時の携帯端末１の動作モード情報及び状態情報の下で実行されたことがある動作又は設定変更の内容「ＧＰＳ信号を受信可能に設定変更し、地図アプリを起動する」を、リコメンド情報として生成する。
【００７２】
（リコメンド情報の第３例：設定変更＋動作＋操作の例）
次に、リコメンド情報生成部１６が生成するリコメンド情報の第３例について説明する。機能履歴取得部２０は、例えば動作としてのアプリケーションの使用頻度、設定変更の頻度、アプリケーションにおける操作の履歴を実行履歴情報として保持し、リコメンド情報生成部１６から状態情報として例えば「携帯端末１の場所（位置）が会社外に出た」旨の情報を取得し、更に、動作モード情報として例えば「プライベートモード」の情報を取得したとする。
【００７３】
機能履歴取得部２０は、実行履歴情報を基に、動作モード情報が「プライベートモード」であって状態情報が「携帯端末１の場所（位置）が会社外に出た」である場合に過去に実行されたことがある動作又は設定変更の実行履歴情報として、例えば「マナーモードの設定を解除するように設定変更し、画面ロック解除画面を表示し、パスワードｑｗｅｒの入力操作を実行した」を取得する。機能履歴取得部２０は、リコメンド情報生成部１６からの問い合わせに対する問い合わせ結果として、「マナーモードの設定を解除するように設定変更し、画面ロック解除画面を表示し、パスワードｑｗｅｒの入力操作を実行する」という実行履歴情報をリコメンド情報生成部１６に出力する。
【００７４】
リコメンド情報生成部１６は、カード／タグ読み取り部１２がＲＦＩＤタグ２を読み取った時の携帯端末１の動作モード情報及び状態情報の下で実行されたことがある動作又は設定変更の内容「マナーモードの設定を解除するように設定変更し、画面ロック解除画面を表示し、パスワードｑｗｅｒの入力操作を実行する」を、リコメンド情報として生成する。
【００７５】
（本実施形態の携帯端末１における動作手順：登録時）
図７及び図８は、本実施形態の携帯端末１における登録時の動作手順を説明するフローチャートである。図７の説明の前提として、カード／タグ読み取り部１２は、単一のＲＦＩＤタグ２、複数（例えば２つ）のＲＦＩＤタグ、又は、単一のＲＦＩＤタグ２と単一の非接触ＩＣカードとのいずれかを認識して読み取ったとする。カード／タグ読み取り部１２は、少なくとも単一のＲＦＩＤタグ２を認識して読み取った場合に、ＲＦＩＤタグ２のＩＤを動作設定確認部１３に出力する。
【００７６】
図７において、動作設定確認部１３は、カード／タグ読み取り部１２から出力されたＲＦＩＤタグ２のＩＤをキーとして動作設定記憶部１４を検索し（Ｓ１１）、同ＲＦＩＤタグ２のＩＤが動作設定記憶部１４に記憶（登録）されているか否かを確認（判定）する（Ｓ１２）。動作設定確認部１３は、カード／タグ読み取り部１２が読み取ったＲＦＩＤタグ２のＩＤが動作設定記憶部１４に記憶（登録）されていることを確認した場合には（Ｓ１２、Ｙｅｓ）、ＲＦＩＤタグ２は登録済なので、登録済のＲＦＩＤタグ２のＩＤに対応付けて登録されている動作又は設定変更の内容を再登録するか否かをユーザに問い合わせる（Ｓ１３）。この問い合わせでは、動作設定確認部１３は、登録済のＲＦＩＤタグ２のＩＤに対応付けて登録されている動作又は設定変更の内容を再登録するか否かを例えばポップアップ画面にて問い合わせ、ユーザからの回答操作に応じた操作部１１からの操作信号を基に、再登録か否かの問い合わせに対する回答を確認する。
【００７７】
なお、発動条件は、リコメンド情報又はスナップショット情報に拘わらず、ユーザの入力操作によって最初から設定されても良い。
【００７８】
また、発動条件が満たされるか否かについては、発動条件として指定された全ての項目が成立する場合に限って発動条件が満たされるとして説明したが、例えば発動条件のうちいずれかの項目が一つでも成立すれば発動条件が満たされるとしても構わない。これにより、携帯端末１は、発動条件を簡易に満たすことができ、読み取ったＲＦＩＤタグ２に応じた動作又は設定変更を簡易に実行することができる。
【００７９】
また、発動条件を満たすための操作として、例えば「アプリケーションＡにパスワード（ｑｗｅｒ）の入力操作を実行してログインボタンをタップし、アプリケーションＡにおけるモード１を選択する」のような複雑な操作をユーザが指定する場合、この操作の操作マクロを予めユーザが作成し、携帯端末１に登録させても良い。これにより、携帯端末１は、この操作マクロに登録された上述した一連の操作を自動的に実行することで、発動条件を満たすためのユーザの入力操作の負担を軽減することができる。
【００８０】
また、発動条件の項目としてユーザが電池残量を指定する場合に、携帯端末１は、電池残量の項目を含む発動条件を満たすと判定した場合に、電池残量に応じて、ＲＦＩＤタグ２に応じた動作を次のように切り分けて実行しても良い。例えば、携帯端末１は、電池残量が多い（所定残量以上である）と判定した場合には、消費電流の多いフルセグ（フルセグメント放送）又はモバキャス（モバイル端末向けのマルチメディア放送）のアプリケーションを起動する。また、携帯端末１は、電池残量が少ない（所定残量未満である）と判定した場合には、消費電流の少ないワンセグ、ワンセグ（音のみ）又はラジオのアプリケーションを起動する。これにより、携帯端末１は、電池残量に応じて、読み取ったＲＦＩＤタグ２に応じた動作として、通常モード（省電力モードではないモード）又は省電力モードの動作を実行でき、携帯端末１内の消費電力を抑制することができる。
【００８１】
ユーザからの回答操作として再登録ではない場合には（Ｓ１３、Ｎｏ）、携帯端末１の登録時又は再登録時の動作ではないので、図７に示すフローチャートは終了する。一方、ユーザからの回答操作として再登録である場合には（Ｓ１３、Ｙｅｓ）、再登録時の動作として、携帯端末１の動作はステップＳ１４に進む。
【００８２】
動作設定確認部１３は、カード／タグ読み取り部１２が読み取ったＲＦＩＤタグ２のＩＤが動作設定記憶部１４に記憶（登録）されていないことを確認した場合には（Ｓ１２、Ｎｏ）、登録時の動作として、携帯端末１の動作はステップＳ１４に進む。
【００８３】
即ち、ステップＳ１４では、動作設定確認部１３は、カード／タグ読み取り部１２が読み取ったＲＦＩＤタグ２のＩＤを含むリコメンド情報生成指示をリコメンド情報生成部１６に出力する（Ｓ１４）。更に、動作設定確認部１３は、カード／タグ読み取り部１２が読み取ったＲＦＩＤタグ２のＩＤを含むスナップショット情報生成指示をスナップショット情報生成部１７に出力する（Ｓ１４）。
【００８４】
リコメンド情報生成部１６及びスナップショット情報生成部１７は、それぞれ、カード／タグ読み取り部１２がＲＦＩＤタグ２を読み取った時における携帯端末１の状態情報を状態取得部１８から取得し、カード／タグ読み取り部１２がＲＦＩＤタグ２を読み取った時における携帯端末１の動作モード状態を動作モード取得部１９から取得する（Ｓ１５）。
【００８５】
また、リコメンド情報生成部１６は、状態取得部１８から取得した状態情報及び動作モード取得部１９から取得した動作モード情報を基に、同状態及び同動作モードの下で過去に実行されたことのある動作又は設定変更の内容の実行履歴情報を機能履歴取得部２０に問い合わせる。リコメンド情報生成部１６は、問い合わせ結果としての実行履歴情報を機能履歴取得部２０から取得する（Ｓ１５）。
【００８６】
更に、スナップショット情報生成部１７は、カード／タグ読み取り部１２がＲＦＩＤタグ２を読み取った時に携帯端末１が現在実行している動作又は設定変更の内容を機能履歴取得部２０から取得する（Ｓ１５）。
【００８７】
ステップＳ１５の後、カード／タグ読み取り部１２がステップＳ１１の以前において複数の外部媒体（例えば２つのＲＦＩＤタグ）を読み取っていた場合には（Ｓ１６、Ｙｅｓ）、携帯端末１の動作は図８のステップＳ２０に進む。
【００８８】
一方、カード／タグ読み取り部１２がステップＳ１１の以前において複数の外部媒体（例えば２つのＲＦＩＤタグ）を読み取っていない場合には（Ｓ１６、Ｎｏ）、リコメンド情報生成部１６は、カード／タグ読み取り部１２が読み取ったＲＦＩＤタグ２に対し再登録である場合には（Ｓ１７、Ｙｅｓ）、登録時の動作モードとステップＳ１５において取得された現在の動作モードとが異なるか否かを確認する（Ｓ１８）。なお、カード／タグ読み取り部１２が読み取ったＲＦＩＤタグ２に対し再登録である場合とは、ステップＳ１３においてユーザの回答操作として再登録を受け付けている場合である。
【００８９】
リコメンド情報生成部１６は、カード／タグ読み取り部１２が読み取ったＲＦＩＤタグ２に対し、登録時の動作モードとステップＳ１５において取得された現在の動作モードとが異なる、即ち、動作モードが変更していることを確認した場合には（Ｓ１８、Ｙｅｓ）、変更前の動作モードを含む発動条件の下で実行する動作又は設定変更の内容を、変更後の新しい動作モードを含む発動条件の下で実行する動作又は設定変更のリコメンド情報として追加すると決定する（Ｓ１９）。
【００９０】
ステップＳ２１、ステップＳ２３、ステップＳ２４の後（図８参照）、ステップＳ１９の後、ステップＳ１７において再登録ではない場合（Ｓ１７、Ｎｏ）、又は、ステップＳ１８において登録時とステップＳ１５において取得された再登録時とにおける各動作モードが同一である場合には（Ｓ１８、Ｎｏ）、携帯端末１の動作はステップＳ２５に進む。
【００９１】
図８において、動作設定確認部１３は、カード／タグ読み取り部１２が読み取った両方のＲＦＩＤタグが登録済又は再登録済であるか否か、即ち、両方のＲＦＩＤタグのＩＤが動作設定記憶部１４に記憶（登録）されているか否かを確認する（Ｓ２０）。
【００９２】
リコメンド情報生成部１６は、動作設定確認部１３の確認結果としてカード／タグ読み取り部１２が読み取った両方のＲＦＩＤタグが登録済又は再登録済である場合には（Ｓ２０、Ｙｅｓ）、両方のＲＦＩＤタグのＩＤに対応付けて登録されている動作又は設定変更の内容において重複している動作又は設定変更の内容があるか否かを確認する。リコメンド情報生成部１６は、重複している動作又は設定変更の内容がある場合には、どちらかのＲＦＩＤタグに対して、重複している動作又は設定変更の内容を削除することをリコメンド情報に用いると決定する（Ｓ２１）。
【００９３】
一方、動作設定確認部１３は、動作設定確認部１３の確認結果としてカード／タグ読み取り部１２が読み取った両方のＲＦＩＤタグが登録済でも再登録済でもない場合に（Ｓ２０、Ｎｏ）、どちらか一方のＲＦＩＤタグが登録済又は再登録済であるか否かを確認する（Ｓ２２）。
【００９４】
リコメンド情報生成部１６は、動作設定確認部１３の確認結果としてカード／タグ読み取り部１２が読み取ったどちらか一方のＲＦＩＤタグが登録済又は再登録済である場合には（Ｓ２２、Ｙｅｓ）、登録済又は再登録済のＲＦＩＤタグのＩＤに対応付けられて登録されている動作又は設定変更の内容をリコメンド情報として用いると決定する（Ｓ２３）。
【００９５】
一方、リコメンド情報生成部１６は、動作設定確認部１３の確認結果としてカード／タグ読み取り部１２が読み取ったＲＦＩＤタグは両方とも登録済でも再登録済でもない、即ち、未登録である場合には（Ｓ２２、Ｎｏ）、両方のＲＦＩＤタグに対し、同一の動作又は設定変更の内容をリコメンド情報として用いると決定する（Ｓ２４）。
【００９６】
図７において、リコメンド情報生成部１６は、機能履歴取得部２０から取得した実行履歴情報を基に、ＲＦＩＤタグ２を読み取った時に取得された動作モード情報及び状態情報の下で実行されたことがある動作又は設定変更の内容を、カード／タグ読み取り部１２がＲＦＩＤタグ２を読み取った時に実行する動作又は設定変更のリコメンド情報として生成する（Ｓ２５）。リコメンド情報の生成例については上述したので、ここでは説明を省略する。
【００９７】
また、リコメンド情報生成部１６は、ＲＦＩＤタグ２を読み取った時に取得された動作モード情報及び状態情報を、リコメンド情報の動作又は設定変更を実行するための発動条件として用いる。リコメンド情報生成部１６は、生成したリコメンド情報とリコメンド情報の動作又は設定変更を実行するための発動条件との組み合わせを動作設定・発動条件表示制御部２１及び動作設定・発動条件登録部２２にそれぞれ出力する。
【００９８】
また、スナップショット情報生成部１７は、ＲＦＩＤタグ２を読み取った時に機能履歴取得部２０から取得した動作又は設定変更の内容を、ＲＦＩＤタグ２の読み取り時に実行する動作又は設定変更のスナップショット情報として生成する（Ｓ２５）。
【００９９】
また、スナップショット情報生成部１７は、ＲＦＩＤタグ２を読み取った時に取得された動作モード情報及び状態情報を、スナップショット情報の動作又は設定変更を実行するための発動条件として用いる。スナップショット情報生成部１７は、生成したスナップショット情報とスナップショット情報の動作又は設定変更を実行するための発動条件との組み合わせを動作設定・発動条件表示制御部２１及び動作設定・発動条件登録部２２にそれぞれ出力する。
【０１００】
動作設定・発動条件表示制御部２１は、リコメンド情報生成部１６から出力されたリコメンド情報とリコメンド情報の動作又は設定変更を実行するための発動条件との組み合わせ、及び、スナップショット情報生成部１７から出力されたスナップショット情報とスナップショット情報の動作又は設定変更を実行するための発動条件との組み合わせを取得する。
【０１０１】
動作設定・発動条件表示制御部２１は、リコメンド情報生成部１６から出力されたリコメンド情報とリコメンド情報の動作又は設定変更を実行するための発動条件との組み合わせ、又は、スナップショット情報生成部１７から出力されたスナップショット情報とスナップショット情報の動作又は設定変更を実行するための発動条件との組み合わせを切り替えて表示部２３の画面ＤＰに表示させる（Ｓ２６）。
【０１０２】
動作設定・発動条件登録部２２は、動作設定・発動条件表示制御部２１により画面ＤＰに表示されたリコメンド情報とリコメンド情報の動作又は設定変更を実行するための発動条件との組み合わせ、又はスナップショット情報とスナップショット情報の動作又は設定変更を実行するための発動条件との組み合わせに対して、操作部１１からいずれかの組み合わせの内容を修正する旨の操作信号を受けたか否かを確認する（Ｓ２７）。
【０１０３】
動作設定・発動条件登録部２２は、修正する旨の操作信号を受けた場合には（Ｓ２７、Ｙｅｓ）、修正入力操作を受け付け（Ｓ２８）、登録又は再登録の旨の操作信号を操作部１１から受けた時の編集後（修正後）のリコメンド情報又はスナップショット情報とＲＦＩＤタグ２のＩＤとを対応付けて動作設定記憶部１４に記憶（登録又は再登録）する（Ｓ２９）。更に、動作設定・発動条件登録部２２は、登録又は再登録の旨の操作信号を操作部１１から受けた時の編集後（修正後）のリコメンド情報又はスナップショット情報の動作又は設定変更の内容を実行するための発動条件とＲＦＩＤタグ２のＩＤとを対応付けて発動条件記憶部１５に記憶（登録又は再登録）する（Ｓ２９）。
【０１０４】
一方、動作設定・発動条件登録部２２は、修正する旨の操作信号を受けていない場合には（Ｓ２７、Ｎｏ）、登録又は再登録の旨の操作信号を操作部１１から受けた時のリコメンド情報又はスナップショット情報とＲＦＩＤタグ２のＩＤとを対応付けて動作設定記憶部１４に記憶（登録又は再登録）する（Ｓ２９）。更に、動作設定・発動条件登録部２２は、登録又は再登録の旨の操作信号を操作部１１から受けた時のリコメンド情報又はスナップショット情報の動作又は設定変更の内容を実行するための発動条件とＲＦＩＤタグ２のＩＤとを対応付けて発動条件記憶部１５に記憶（登録又は再登録）する（Ｓ２９）。
【０１０５】
（本実施形態の携帯端末１における動作手順：実行時）
図９は、本実施形態の携帯端末１における実行時の動作手順を説明するフローチャートである。図９の説明の前提として、カード／タグ読み取り部１２は、例えば単一のＲＦＩＤタグ２を認識して読み取ったとする。カード／タグ読み取り部１２は、単一のＲＦＩＤタグ２を認識して読み取った場合に、ＲＦＩＤタグ２のＩＤを動作設定確認部１３に出力する。
【０１０６】
図９において、動作設定確認部１３は、カード／タグ読み取り部１２から出力されたＲＦＩＤタグ２のＩＤをキーとして動作設定記憶部１４を検索し（Ｓ３１）、ＩＤが存在するか、即ち、ＲＦＩＤタグ２のＩＤに対応付けてＲＦＩＤタグ２の読み取りに応じた動作又は設定変更の内容が登録されているか否かを確認（判定）する（Ｓ３２）。
【０１０７】
動作設定確認部１３がＲＦＩＤタグ２のＩＤに対応付けてＲＦＩＤタグ２の読み取りに応じた動作又は設定変更の内容が登録されていないことを確認した場合には（Ｓ３２、Ｎｏ）、携帯端末１の実行時の動作は終了しているので、図９に示すフローチャートは終了する。
【０１０８】
一方、動作設定確認部１３は、ＲＦＩＤタグ２のＩＤに対応付けてＲＦＩＤタグ２の読み取りに応じた動作又は設定変更の内容が登録されていることを確認した場合に（Ｓ３２、Ｙｅｓ）、ＲＦＩＤタグ２のＩＤとＲＦＩＤタグ２の読み取りに応じた動作又は設定変更の内容の情報とを発動条件確認部２４に出力する。
【０１０９】
発動条件確認部２４は、動作設定確認部１３から出力されたＲＦＩＤタグ２のＩＤとＲＦＩＤタグ２の読み取りに応じた動作又は設定変更の内容の情報を取得する（Ｓ３３）。発動条件確認部２４は、動作設定確認部１３から出力されたＲＦＩＤタグ２のＩＤをキーとして発動条件記憶部１５を検索し、同ＲＦＩＤタグ２のＩＤに対応付けて登録されている発動条件の情報を取得する（Ｓ３３）。
【０１１０】
また、発動条件確認部２４は、状態取得部１８から携帯端末１の状態情報を取得すると共に、動作モード取得部１９から携帯端末１の動作モード情報を取得している（Ｓ３４）。
【０１１１】
更に、発動条件確認部２４は、状態取得部１８から取得した携帯端末１の状態情報と動作モード取得部１９から取得した携帯端末１の動作モード状態とが発動条件記憶部１５から取得したＲＦＩＤタグ２のＩＤに対応付けて登録されている発動条件を満たすか否かを確認（判定）する（Ｓ３５）。発動条件確認部２４は、携帯端末１の状態情報と動作モード情報とが発動条件を満たすことを確認した場合には（Ｓ３５、Ｙｅｓ）、動作設定確認部１３から出力されたＲＦＩＤタグ２の読み取りに応じた動作又は設定変更の内容の情報を含む実行指示を動作／設定変更実行部２５に出力する。動作／設定変更実行部２５は、発動条件確認部２４から出力された実行指示を基に、ＲＦＩＤタグ２の読み取りに応じた動作又は設定変更の内容を実行する（Ｓ３６）。
【０１１２】
発動条件確認部２４が携帯端末１の状態情報と動作モード情報とが発動条件を満たさないことを確認した場合には（Ｓ３５、Ｎｏ）、携帯端末１の実行時の動作は終了しているので、図９に示すフローチャートは終了する。
【０１１３】
以上により、本実施形態における携帯端末１は、未登録、登録済又は再登録済のＲＦＩＤタグ２に対し、登録時又は再登録時では、ＲＦＩＤタグ２を読み取った時における携帯端末１の状態情報及び動作モード情報の下で過去に実行されたことのある動作又は設定変更の実行履歴情報を、ＲＦＩＤタグ２を読み取った時に実行する動作又は設定変更の内容とするリコメンド情報を生成する。更に、携帯端末１は、ＲＦＩＤタグ２を読み取った時における携帯端末１の状態情報及び動作モード情報を、リコメンド情報に対応する発動条件として用いる。
【０１１４】
また、携帯端末１は、未登録、登録済又は再登録済のＲＦＩＤタグ２に対し、登録時又は再登録時では、ＲＦＩＤタグ２を読み取った時における携帯端末１が現在実行している動作又は設定変更の内容をスナップショット情報として生成する。更に、携帯端末１は、ＲＦＩＤタグ２を読み取った時における携帯端末１の状態情報及び動作モード情報を、スナップショット情報に対応する発動条件として用いる。
【０１１５】
これにより、携帯端末１は、未登録、登録済又は再登録済のＲＦＩＤタグ２に対し、登録時又は再登録時では、同一の環境（携帯端末１の状態情報及び動作モード情報）の下で過去にユーザ操作の経験がある動作又は設定変更の内容をリコメンド情報として、ユーザに対して積極的に推奨することができる。
【０１１６】
更に、携帯端末１は、未登録、登録済又は再登録済のＲＦＩＤタグ２に対し、登録時又は再登録時では、同一の環境（携帯端末１の状態情報及び動作モード情報）の下で、現在携帯端末１が実行している動作又は設定変更の内容をスナップショット情報として、ユーザに対して積極的に推奨することができる。
【０１１７】
また、携帯端末１は、単一の非接触ＩＣカード又はＲＦＩＤタグに対して、異なる複数の発動条件毎に複数の動作又は設定変更の内容を登録することができる。従って、本実施形態の携帯端末１によれば、今後、携帯電話機又はスマートフォン等の携帯端末に複数の動作モードが導入されたとしても、動作モード毎にユーザが非接触ＩＣカード又はＲＦＩＤタグを所持する必要がなくなり、ユーザが所持する外部媒体（非接触ＩＣカード又はＲＦＩＤタグ）の数を削減することができる。
【０１１８】
また、携帯端末１は、登録済又は再登録済のＲＦＩＤタグ２に対し、実行時では、ＲＦＩＤタグ２を読み取った時における携帯端末１の状態情報及び動作モード情報が発動条件を満たす場合に限ってＲＦＩＤタグ２に応じた動作又は設定変更の内容を実行する。
【０１１９】
これにより、携帯端末１は、単一の非接触ＩＣカード又はＲＦＩＤタグに対し、動作モード情報及び状態情報からなる複数の発動条件毎に登録された複数の動作又は設定変更を便宜的に使い分けて実行することができる。
【０１２０】
以上、図面を参照して各種の実施形態について説明したが、本発明はかかる例に限定されないことは言うまでもない。当業者であれば、特許請求の範囲に記載された範疇内において、各種実施の形態の変更例または修正例、更に各種実施の形態の組み合わせ例に想到し得ることは明らかであり、それらについても当然に本発明の技術的範囲に属するものと了解される。
【０１２１】
上述した実施形態では、登録時又は再登録時に、外部媒体（例えばＲＦＩＤタグ２）を読み取った時に携帯端末１が実行する動作又は設定変更の内容をリコメンド情報生成部１６及びスナップショット情報生成部１７が生成した旨を説明した。但し、リコメンド情報生成部１６及びスナップショット情報生成部１７が生成した動作又は設定変更の内容は、ユーザ操作によって操作部１１から編集（修正）されても良く、又は、ユーザ操作によって、リコメンド情報又はスナップショット情報に代わる動作又は設定変更の内容が直接、最初から入力（指定）されても良い。これにより、携帯端末１は、ユーザが直接入力（指定）した動作又は設定変更の内容を登録することができる。
【０１２２】
なお、上述した実施形態において、発動条件は、外部媒体（例えばＲＦＩＤタグ２）を読み取った時に携帯端末１が実行する動作又は設定変更の実行を終了するための条件である発動終了条件を含んでも良い。これにより、携帯端末１は、発動条件によって指定されている間、外部媒体（例えばＲＦＩＤタグ２）を読み取った時に動作又は設定変更の実行を継続する必要が無く、発動終了条件を満たした時に当該動作又は設定変更の実行を終了させることができ、消費電力を抑制することができ、例えば電池残量が少ない場合に有効である。
【０１２３】
また、上述した実施形態において、リコメンド情報生成部１６は、登録済又は再登録済のＲＦＩＤタグ２に対し、再登録時に、以前の登録時から現在の再登録時までの実行履歴情報を参照し、ＲＦＩＤタグ２を読み取った時に実行する動作又は設定変更の内容として既に登録されている内容の追加又は削除を示唆するリコメンド情報を生成しても良い。これにより、携帯端末１は、以前の登録時から現在の再登録時までの間に頻繁に使用される動作又は設定変更を追加するように推奨することができ、更に、以前の登録時から現在の再登録時までの間に使用頻度が少なくなった動作又は設定変更を削除するように推奨することができ、ユーザ操作の実行履歴に沿った動作又は設定変更の内容を推奨することができる。
【０１２４】
なお、上述した実施形態では、リコメンド情報生成部１６は、リコメンド情報を生成する際、カード／タグ読み取り部１２がＲＦＩＤタグ２を読み取った時における携帯端末１の状態情報及び動作モード情報の下で過去に実行されたことがある動作又は設定変更の内容を、リコメンド情報として生成する旨を説明した。ただし、リコメンド情報生成部１６は、同様の条件下で過去に実行されたことが所定回数以上ある動作又は設定変更の内容を、リコメンド情報として生成しても良い。これにより、携帯端末１は、ユーザ操作が１回だけではなく頻繁にあった動作又は設定変更の内容に絞ってリコメンド情報を生成することができるので、表示部２３の画面ＤＰ内に表示可能なリコメンド情報の数を所定数に制限することができる。
【０１２５】
なお、上述した実施形態において、ＲＦＩＤタグ２又は非接触ＩＣカードがユーザの個人識別（認証）に用いるものである場合では、携帯端末１は、ＲＦＩＤタグ２又は非接触ＩＣカードを読み取った時にユーザ本人であることが認証された場合に限って、登録又は再登録された動作又は設定変更の内容を実行しても良い。これにより、携帯端末１は、ＲＦＩＤタグ２又は非接触ＩＣカードを読み取った時に携帯端末１が実行する動作又は設定変更の内容を容易に変更させないように、携帯端末１のセキュリティを向上させることができる。
【０１２６】
なお、上述した実施形態において、リコメンド情報生成部１６は、画面ロック時に登録済又は再登録済のＲＦＩＤタグ２を読み取った場合に、携帯端末１がＲＦＩＤタグ２を読み取った時に実行する動作又は設定変更の内容を実行するか否かについて、次の３パターンのうちいずれかを発動条件に含めても良い。例えば、第１パターンでは、携帯端末１は、画面ロックの間には、ＲＦＩＤタグ２を読み取った時に実行する動作又は設定変更の内容を実行しない。これにより、携帯端末１は画面ロック中ではＲＦＩＤタグ２を読み取っても、ＲＦＩＤタグ２に応じた動作又は設定変更の内容を実行しないので、携帯端末１のセキュリティを向上させることができる。
【０１２７】
また、第２パターンでは、携帯端末１は、画面ロックを解除した後で、ＲＦＩＤタグ２を読み取った時に実行する動作又は設定変更の内容を実行する。最後に、第３パターンでは、携帯端末１は、画面ロックを解除せずに、ＲＦＩＤタグ２を読み取った時に実行する動作又は設定変更の内容を実行する。これにより、携帯端末１は、画面ロックを解除していない状態、即ち、画面ロック状態が継続中であってもＲＦＩＤタグ２を読み取った時に、ＲＦＩＤタグ２を読み取った時に実行する動作又は設定変更の内容を実行することができる。
【０１２８】
また、上述した実施形態では、実行時において、登録済又は再登録済のＲＦＩＤタグ２に対し、携帯端末１は、ＲＦＩＤタグ２を読み取った時に取得された携帯端末１の状態情報及び動作モード情報が発動条件を満たさない場合には、ＲＦＩＤタグ２を読み取った時に実行する動作又は設定変更の内容を実行しないものと説明した。但し、携帯端末１（の動作設定・発動条件表示制御部２１）は、ＲＦＩＤタグ２を読み取った時に取得された携帯端末１の状態情報及び動作モード情報が発動条件を満たさない場合には、ＲＦＩＤタグ２を読み取った時に実行する動作又は設定変更の内容と発動条件の内容とを表示部２３の画面ＤＰに表示させ、ユーザに発動条件の内容の編集（修正）の要否を確認しても良い。これにより、携帯端末１は、実行時に、登録済又は再登録済のＲＦＩＤタグ２に対し、発動条件の編集（修正）をユーザに対して容易に行わせることができる。
【産業上の利用可能性】
【０１２９】
本発明は、単一の非接触ＩＣカード又はＲＦＩＤタグに対し、動作モードを含む複数の発動条件毎に登録された複数の動作又は設定変更を便宜的に使い分けて実行する携帯端末及び情報処理方法として有用である。
【符号の説明】
【０１３０】
１  携帯端末
２  ＲＦＩＤタグ
１１  操作部
１２  カード／タグ読み取り部
１３  動作設定確認部
１４  動作設定記憶部
１５  発動条件記憶部
１６  リコメンド情報生成部
１７  スナップショット情報生成部
１８  状態取得部
１９  動作モード取得部
２０  機能履歴取得部
２１  動作設定・発動条件表示制御部
２２  動作設定・発動条件登録部
２３  表示部
２４  発動条件確認部
２５  動作／設定変更実行部
【図１】
2014011495.tif 000003
【図２】
2014011495.tif 000004
【図３】
2014011495.tif 000005
【図４】
2014011495.tif 000006
【図５】
2014011495.tif 000007
【図６】
2014011495.tif 000008
【図７】
2014011495.tif 000009
【図８】
2014011495.tif 000010
【図９】
2014011495.tif 000011